(57)【要約】      （修正有）【課題】円柱に容易に取り付けることができ、設置の作業性が良く、撮影範囲を角度変更できる監視・防犯カメラのハウジング装置を提供する。【解決手段】支柱Ｐに対するハウジング１の支持は、支柱にバンド２９で締め付け固定する柱巻金物５と、ベース金物を介してハウジングに連結されたジョイント金物７とからなり、柱巻金物の上部両端にジョイント金物の支軸３３が突設され、ジョイント金物は、その両側面板１７に支軸に掛かるフック２２が形成されている。更に、ジョイント金物には、支軸の下方部において該軸を中心に両側面板に固定ネジ３９を通す複数の通し孔３７を配設する。柱巻金物の側板２４に、該通し孔から螺入させるネジ孔を設けたことにより、支軸中心の縦角度の調整を可能とする。また、複数のベース金物が、ハウジングの異なる側面に配置し固着されることにより、横回り角度の調整を可能とする。【選択図】図７
2020010212.tif 000002
【特許請求の範囲】
【請求項１】
監視・防犯カメラが内装されるハウジングの設置対象が支柱であるハウジング装置において、支柱に対するハウジングの支持は、支柱にバンドで締め付けて固定する柱巻金物と、張りつけ状ベース金物を介してハウジングに連結されるジョイント金物とからなり、柱巻金物には上部両端にジョイント金物の支軸が突設され、ジョイント金物は、柱巻金物に対してはそれを囲い込むコ字形壁であって、その両側面板に前記支軸に掛かるフックが形成されており、さらに、ハウジングはベース金物が複数において異なる側面に配置し固着されることにより横回り方角の調整が可能であり、また、ジョイント金物には、支軸の下方部において該軸を中心に両側面板に固定ネジを通す複数の通し孔を配設し、裏の柱巻金物の側板には該通し孔から螺入させるネジ孔を設けたことにより、支軸中心の縦の屈角度の調整が可能であることを特徴とする監視・防犯カメラのハウジング装置。
【請求項２】
柱巻金物は、背面が開口する囲い形であって、その開口両側壁には、締めバンドの通し孔が設けられ、また開口を閉じるように後端にハ字形に内向して柱の左右受板が斜めに反転屈折して形成されていることを特徴とする請求項１記載の監視・防犯カメラのハウジング装置。
【請求項３】
ジョイント金物は、コ字形囲いのうちの基板の巾中央部にベース金物に嵌る下端開口のスライド巾溝を設けてあり、ベース金物は、ジョイント金物の下端部縁が掛かる左右一対の掛止片が突設され、上端にはジョイント金物を溝上縁で受ける前に段違いの段差起立片が突設され、段差起立片にビスの通し孔を、ジョイント金物の上端部にはそのビスの螺入孔を設けてあることを特徴とする請求項１又は２記載の監視・防犯カメラのハウジング装置。
【発明の詳細な説明】
【技術分野】
【０００１】
この発明は、主に屋外の支柱上端部に監視・防犯カメラを取り付けるためのハウジング装置に関する。
【背景技術】
【０００２】
屋外に設置される監視・防犯カメラは、雨滴の侵入の防止をはじめ、太陽光線による劣化の防止等のために、ハウジング（ケース）に内装した状態において設置される。この明細書ではそのような被覆した設置形態をハウジング装置ということにする。
【０００３】
従来のこの種ハウジング装置は、建造物の支柱にバンド締めされる柱巻支持装置が一体に装備されたものであった。しかしハウジングは、内装カメラの撮影範囲を調整する必要がある関係で、その機能を合わせもつため複雑化は避けられなかった。
【発明の概要】
【発明が解決しようとする課題】
【０００４】
従来、上記のような従来の監視・防犯カメラのハウジング装置によれば、支持構造に撮影範囲の調整構造が加わるため機能が複雑化することから、重量が過大で構造も複雑であるという問題があって、円柱の高所ではバンド締め操作が容易でないだけでなく危険な作業が強いられていた。
【０００５】
この発明は、上記のような実情に鑑みて、監視・防犯カメラのハウジングを円柱に容易に取り付けることができ、設置の作業性が良く、しかも撮影範囲を角度変更できる機能を備えた監視・防犯カメラのハウジング装置を提供することを課題とした。
【課題を解決するための手段】
【０００６】
上記の課題を解決するために、この発明は、監視・防犯カメラが内装されるハウジングの設置対象が支柱であるハウジング装置において、支柱に対するハウジングの支持は、支柱にバンドで締め付けて固定する柱巻金物と、張りつけ状ベース金物を介してハウジングに連結されるジョイント金物とからなり、柱巻金物には上部両端にジョイント金物の支軸が突設され、ジョイント金物は、柱巻金物に対してはそれを囲い込むコ字形壁であって、その両側面板に前記支軸に掛かるフックが形成されており、さらに、ハウジングはベース金物が複数において異なる側面に配置し固着されることにより横回り角度の調整が可能であり、また、ジョイント金物には、支軸の下方部において該軸を中心に両側面板に固定ネジを通す複数の通し孔を配設し、裏の柱巻金物の側板には該通し孔から螺入させるネジ孔を設けたことにより、支軸中心の縦角度の調整が可能であることを特徴とする監視・防犯カメラのハウジング装置を提供する。
【０００７】
監視・防犯カメラのハウジング装置を上記のように構成したから、支柱の所定箇所に配置するには、撮影方向をカメラの方角を考慮して予め選定したいずれかのベース金物でハウジングにジョイント金物を取り付けておく。
【０００８】
一方、支柱に柱巻金物をバンド締めにより取り付けておいて、それにハウジング付のジョイント金物をフック掛けで柱巻金物に取り付ける。これで、支軸を中心にハウジングの縦の屈角度の調整をなすことができる。
【発明の効果】
【０００９】
以上説明したように、この発明によれば、支柱に対する支持する構造全体がハウジングと一体ではなく、初めに柱巻金物を支柱に取り付けてから、それにハウジングと一体化したジョイント金物をフック掛で取り付ける二段構成となるため、片方ずつの軽量な取付作業となるのでその作業が容易であり、安定した取付け状態が得られ、しかも、カメラの撮影範囲の設定も容易であるという優れた効果がある。
【図面の簡単な説明】
【００１０】
【図１】この発明のハウジングにジョイント金物を取り付ける要領を示す斜視図である。
【図２】同ジョイント金物を柱巻金物に取り付ける要領を示す斜視図である。
【図３】ベース金物の正面図である。
【図４】図３のA−A線矢視の断面図である。
【図５】ハウジングを支柱に取り付ける直前の状態を示す側面図である。
【図６】同ハウジングの取付状態を示す側面図である。
【図７】同ハウジングの取付状態を前屈み角度で示す側面図である。
【発明を実施するための形態】
【００１１】
（１）この発明では、全体を一度に支柱に取り付けるのではなく、柱巻金物だけを先に支柱に取り付ける分割構造のため、高所での作業が容易である。
（２）分割構造であるにもかわらず，カメラの設置方向の変更機能がその構造に組み込まれる。
（３）ハウジング装置がアーム構造ではなく、支柱に沿った構造とすることで監視カメラであることが一見して分かりにくく、環境美化に適する。
（４）ハウジング装置の設置は、フック２２を支軸３３に引っかけてなすので、作業性とともに角度調整が容易である。
【実施例１】
【００１２】
図面は屋外長期設置用としてキューブ構造のものを想定して発明した一実施例を示したもので、その監視・防犯カメラのハウジング装置は、複数のベース金物３，３が取り付けられるキューブ構造のハウジング１と、柱巻金物５と、その間に介在されるようハウジング１に予め連結されるジョイント金物７とから構成される。
【００１３】
ハウジング１は、監視カメラ（防犯カメラ）が内装される矩形ケースであって、その左右側面および背面にベース金物３がビス４で予め取り付けられる。６は、その取付ビス４の通し孔である。
【００１４】
ベース金物３は、矩形の板状であって、上端巾中央に前方へ段違いに起立片９が一体形成され、これにネジ通し孔１１が設けられる。また、下端部の左右両端には前方に突出したL字形の掛止片１３，１３が屈折して形成される。
【００１５】
ベース金物３に連結されるジョイント金物７は、コ字形の囲み板であって、中央の基板１５の両端に側面板１７，１７を有する。基板１５には巾中央部に下端が開口する切欠き巾溝１９を設け、巾溝１９をベース金物３に嵌るスライド可能に形成される。また、巾溝１９は、この場合凸形であって、高さ中間が掛止片１３，１３に掛かるよう下端部１９ａが拡大巾であり、上端にはビス２１を螺入するネジ孔２３がベース金物３の前記通し孔１１に合わせて形成される。
【００１６】
ハウジング１には、ジョイント金物７がいずれかのベース金物３に上から差し込んであり、掛止片１３，１３に掛かった状態においてビス２１で止めて一体に取り付けられ、これで現場において据え付けに供される（図１、図５参照）。
【００１７】
柱巻金物５は、枠形に連続した構造であり、天板２０と補強板２５との間に側板２４，２４を有する。左右側板２４，２４には後端にハ字形に対抗する柱受２７，２７が内向屈折で連設される。また、側板２４，２４の後端部にはステンレスバンド２９の通し孔３１，３１が上下２段に設けられる。
【００１８】
また、柱受金物５は、ジョイント金物7が外にスライド可能に嵌る巾であって、側板２４，２４の上端には、フック２２が掛かるボルトからなる支軸３３がネジ込みにより突設される。また、側板２４の下端部には、支軸３３を中心とする円弧に沿った位置に固定ネジ３９の螺入ネジ孔３５を設け、ジョイント金物７の側面板１７，１７にはネジの通し孔３７、３７，３７が設けられる。
【００１９】
図５は、支柱Pにハウジング１を設置する直前の接続状態を示したもので、柱巻金物５を支柱Pにバンド２１，２１で取付けておく。一方ハウジング１にはベース金物３を介してジョイント金物７を取り付けた状態にしておく。これで柱巻金物５の支軸３３に対してジョイント金物７のフック２２を掛けることができる。
【００２０】
図６及び図７は、ジョイント金物７のフック２２を支軸３３に引っかけるとともにそれを中心に角度調整した最終段階を示す。これについては、固定ネジ３９を選択した通し孔３７からネジ孔３５に螺入されると、選択した所望の角度に確定し取付が完了する。
【００２１】
なお、ジョイント金物７の巾溝１９はベース金物３を挟む巾で凸形で示したが、ストレート形であっても良い。この場合は、ジョイント金物７の基板１５の下端が掛止片１３，１３に掛かることになる。
【符号の説明】
【００２２】
１  ハウジング
３  ベース金物
５  柱巻金物
７  ジョイント金物
９  段差起立片
１１  ネジ通し孔
１３  掛止片
１５  基板
１７  側面板
１９  巾溝
２０  天板
２１  ビス
２３  通し孔
２４  側板
２７  柱受
２９  バンド
３１  通し孔
３３  支軸
３５  ネジ孔
３７  通し孔
３９  固定ネジ
【図１】
2020010212.tif 000003
【図２】
2020010212.tif 000004
【図３】
2020010212.tif 000005
【図４】
2020010212.tif 000006
【図５】
2020010212.tif 000007
【図６】
2020010212.tif 000008
【図７】
2020010212.tif 000009